(57)【要約】      （修正有）【課題】住空間を構成する素材との一体感が高く、住空間の美観を損なわない情報表示体を提供する。【解決手段】住空間を構成する素材１３に備えられ、情報を表示可能な画面を有する画面部１１を具備する情報表示体１０において、画面部１１の画面の上に、画面に表示される情報を視認可能な光透過性を有し、かつ、周囲の壁等と一体感を醸し出す模様が形成された、光透過性模様層1２を備える構成とする。【選択図】図１
2015161835.tif 000002
【特許請求の範囲】
【請求項１】
情報を表示可能な画面を有する画面部と、前記画面部の画面上に、テクスチャー模様が形成された光透過性模様層を備えることを特徴とする情報表示体。
【請求項２】
前記画面部が、住空間を構成する素材に備えられており、
前記画面部の画面上および前記住空間を構成する素材の表面上に、前記光透過性模様層を備えることを特徴とする請求項１に記載の情報表示体。
【請求項３】
情報を表示しない状態の前記画面部の画面の色彩が、前記住空間を構成する素材の表面の色彩と視覚的に同等であることを特徴とする請求項２に記載の情報表示体。
【請求項４】
前記画面部の画面の外縁部において、前記画面部の画面高さ位置が、前記画面部周囲の前記住空間を構成する素材の表面高さ位置と視覚的に同等であることを特徴とする請求項２または請求項３に記載の情報表示体。
【請求項５】
前記光透過性模様層が、表面に質感向上のための凹凸を有することを特徴とする請求項１乃至請求項４のいずれか一項に記載の情報表示体。
【請求項６】
前記光透過性模様層の上に、質感向上のための凹凸を有する光透過性凹凸層を備えることを特徴とする請求項１乃至請求項４のいずれか一項に記載の情報表示体。
【請求項７】
前記画面部が制御部に接続されており、前記制御部により、前記画面部の画面に表示する情報を制御できることを特徴とする請求項１乃至請求項６のいずれか一項に記載の情報表示体。
【発明の詳細な説明】
【技術分野】
【０００１】
本発明は、住空間を構成する素材との一体感が高く、住空間の美観を損なわない情報表示体に関するものである。
【背景技術】
【０００２】
従来、壁に液晶ディスプレイ等を埋め込み、その画面が露出するようにして、広告等を表示する情報表示体がある。
また、略直方体形状に形成された表示パネルを壁や床に複数敷き詰めて使用する形態の、表示装置を備える建材が提案されている（特許文献１）。
【先行技術文献】
【特許文献】
【０００３】
【特許文献１】特開２０１０−２６０７０号公報
【発明の概要】
【発明が解決しようとする課題】
【０００４】
しかしながら、上記のように、壁や床に、画面を露出する形態で表示パネルが備えられた従来の情報表示体においては、露出する画面と周囲の壁や床とで意匠が異なるため、壁や床との一体感に乏しく、特に、画面に情報等を表示していない時には、住空間の美観を損なうものであった。
【０００５】
本発明は、上記実情に鑑みてなされたものであり、住空間を構成する素材との一体感が高く、住空間の美観を損なわない情報表示体を提供することを目的とする。
【課題を解決するための手段】
【０００６】
本発明者は、種々研究した結果、壁等に備える表示パネルの画面の上に、画面に表示される情報を視認可能な光透過性を有し、かつ、周囲の壁等と一体感を醸し出す模様が形成された、光透過性模様層を備えることで、上記課題を解決できることを見出して本発明を完成したものである。
【０００７】
すなわち、本発明の請求項１に係る発明は、情報を表示可能な画面を有する画面部と、前記画面部の画面上に、テクスチャー模様が形成された光透過性模様層を備えることを特徴とする情報表示体である。
【０００８】
また、本発明の請求項２に係る発明は、前記画面部が、住空間を構成する素材に備えられており、前記画面部の画面上および前記住空間を構成する素材の表面上に、前記光透過性模様層を備えることを特徴とする請求項１に記載の情報表示体である。
【０００９】
また、本発明の請求項３に係る発明は、情報を表示しない状態の前記画面部の画面の色彩が、前記住空間を構成する素材の表面の色彩と視覚的に同等であることを特徴とする請求項２に記載の情報表示体である。
【００１０】
また、本発明の請求項４に係る発明は、前記画面部の画面の外縁部において、前記画面部の画面高さ位置が、前記画面部周囲の前記住空間を構成する素材の表面高さ位置と視覚的に同等であることを特徴とする請求項２または請求項３に記載の情報表示体である。
【００１１】
また、本発明の請求項５に係る発明は、前記光透過性模様層が、表面に質感向上のための凹凸を有することを特徴とする請求項１乃至請求項４のいずれか一項に記載の情報表示体である。
【００１２】
また、本発明の請求項６に係る発明は、前記光透過性模様層の上に、質感向上のための凹凸を有する光透過性凹凸層を備えることを特徴とする請求項１乃至請求項４のいずれか一項に記載の情報表示体である。
【００１３】
また、本発明の請求項７に係る発明は、前記画面部が制御部に接続されており、前記制御部により、前記画面部の画面に表示する情報を制御できることを特徴とする請求項１乃至請求項６のいずれか一項に記載の情報表示体である。
【発明の効果】
【００１４】
本発明によれば、住空間を構成する素材との一体感が高く、住空間の美観を損なわない情報表示体を提供することができる。
【図面の簡単な説明】
【００１５】
【図１】本発明に係る情報表示体の第１の実施形態の一例を示す図であり、（ａ）は概略平面図、（ｂ）は（ａ）のＡ−Ａ線断面図である。
【図２】本発明に係る情報表示体の第１の実施形態における情報表示の一例を説明する図である。
【図３】図１に示す本発明に係る情報表示体の第１の実施形態の一例から光透過性模様層を除去した状態を説明する図であり、（ａ）は概略平面図、（ｂ）は（ａ）のＢ−Ｂ線断面図である。
【図４】本発明に係る情報表示体の第２の実施形態の一例を示す概略断面図である。
【発明を実施するための形態】
【００１６】
以下、本発明に係る情報表示体について、図面を用いて説明する。
【００１７】
＜第１の実施形態＞
（情報表示体）
図１は、本発明に係る情報表示体の第１の実施形態の一例を示す図であり、（ａ）は概略平面図、（ｂ）は（ａ）のＡ−Ａ線断面図である。
【００１８】
図１に示すように、本実施形態に係る情報表示体１０は、情報を表示可能な画面を有する画面部１１と、画面部１１の画面上に、テクスチャー模様が形成された光透過性模様層１２と、を備えている。
そして、上記の画面部１１は、住空間を構成する素材１３に埋め込むように備えられており、画面部１１の画面上および住空間を構成する素材１３の表面上に、共通の光透過性模様層１２が備えられている。
【００１９】
なお、図１（ａ）に示す例においては、画面部１１が備えられている位置を理解しやすいように、画面部１１の画面の外縁２１を破線で記しているが、実際には、このような破線は、光透過性模様層１２の表面１２Ｆに存在しない。
【００２０】
図２は、本発明に係る情報表示体の第１の実施形態における情報表示の一例を説明する図である。
ここで、図２（ａ）は、情報表示体１０が備える画面部１１の画面に、情報を表示していない状態を示し、図２（ｂ）は、情報表示体１０が備える画面部１１の画面に、情報を表示している状態を示している。
【００２１】
上記のように、情報表示体１０は、画面部１１の画面上にテクスチャー模様が形成された光透過性模様層１２を備えており、さらに、画面部１１を備える素材１３の表面上にも同じ光透過性模様層１２を備えている。
それゆえ、図２（ａ）に示すように、画面に情報を表示しない状態では、光透過性模様層１２に形成されたテクスチャー模様によって、素材１３における画面部１１の存在を識別できないほどに、住空間に自然に溶け込ませることが可能になる。
【００２２】
一方、図２（ｂ）に示すように、画面に情報を表示している状態では、画面に表示する文字や画像等の情報を、光透過性模様層１２を透過して、情報を受ける者に視認させることができる。
そして、この画面に情報を表示している状態においても、画面部１１の画面全体が識別できてしまうような表示方法を用いずに、例えば、画面部１１の画面の一部を用いて、適切な位置に、適切な大きさの文字や画像等を表示することで、情報表示が過度にならず、住空間の美観を損なわないようにすることもできる。
【００２３】
すなわち、本実施形態によれば、住空間を構成する素材との一体感が高く、住空間の美観を損なわない情報表示体を提供することができる。
【００２４】
なお、図１に示す例においては、本実施形態の好ましい形態の一例として、画面部１１の画面上および住空間を構成する素材１３の表面上に、共通する一の光透過性模様層１２が備えられている形態を例示しているが、本実施形態においては、この形態に限定されず、少なくとも、画面部１１の画面上に光透過性模様層１２を備えることによって、周囲の住空間を構成する素材と一体感が高く、住空間の美観を損なわない情報表示体となるものであれば良い。
【００２５】
例えば、住空間を構成する素材１３の表面上に備えられる模様層の光透過性能は、画面部１１の画面上に備えられる光透過性模様層１２の光透過性能と異なるものであっても良い。
すなわち、周囲の素材１３と一体感が高い状態を維持できる限り、画面部１１の画面上に備えられる光透過性模様層１２は、周囲の素材１３の表面上に備えられる模様層と異なる材料から構成されていても良い。
また、一体感が高い状態を維持できる限り、周囲の素材１３の表面は、素材の表面自体が露出した形態であっても良い。
【００２６】
以下、本実施形態に係る情報表示体を構成する各要素について、詳しく説明する。
【００２７】
（画面部）
本実施形態において、画面部１１には、住空間を構成する素材１３に備えることができ、画面上に光透過性模様層１２を設けることで、住空間に自然に溶け込ませることが可能なものであれば用いることができ、例えば、電子ペーパーパネル、液晶ディスプレイパネル、有機ＥＬディスプレイパネル等を挙げることができる。
中でも、電子ペーパーパネルは、電力を消費しない状態、すなわち電源ＯＦＦの状態であっても画面の色を黒色以外の色（例えば白色）に維持することができ、好ましい。
【００２８】
本実施形態においては、光透過性模様層１２を透して、画面部１１の画面に表示される情報を視認させるため、情報を受ける者は、この光透過性模様層１２を透して画面部１１の画面の色彩も視認できることになる。
それゆえ、本実施形態においては、情報を表示しない状態の画面部１１の画面の色彩が、住空間を構成する素材１３の表面の色彩と、想定した照明光の下で視覚的に同等であることが好ましい。情報表示体１０を、より住空間に自然に溶け込ませることが可能になるからである。
ここで、上記の「想定した照明光」とは、住空間を構成する素材１３が設置される環境で主に照射される光を指し、例えば、和室であれば、色温度２６００Ｋ〜３１５０Ｋの光、ダイニングルームであれば、色温度４６００Ｋ〜５４００Ｋの光、勉強部屋であれば、色温度５７００Ｋ〜７１００Ｋの光等である。
【００２９】
例えば、画面部１１に電子ペーパーパネルを用い、電源ＯＦＦ時の画面の色彩を、住空間を構成する素材１３の表面の色彩と視覚的に同等に合わせておけば、電源ＯＦＦ時の画面が周囲の素材１３と見分けがつかなくなり、情報表示体１０を、より住空間に自然に溶け込ませることが可能になる。
すなわち、電力の消費を抑制しつつ、住空間を構成する素材との一体感が高く、住空間の美観を損なわない情報表示体とすることができる。
【００３０】
ここで、電子ペーパーパネルが、電源ＯＦＦの状態であっても画面の色を黒色以外の色（例えば白色）に保持できるのは、表示する情報を切り替える時以外は電力を要しないからである。例えば、ツイストボール方式の電子ペーパーパネルは、半球ごとに白と黒に塗り分けられた球形の粒子に電圧をかけることで、該粒子を回転させて白黒表示を切り替えることで情報を表示するため、粒子を回転させる時以外は電力を必要としない。
【００３１】
本実施形態においては、電源ＯＦＦの状態の画面の色は白色に限定されず、住空間を構成する素材１３に合わせて、適宜選択されることが好ましい。
例えば、画面部１１に上記のツイストボール方式の電子ペーパーパネルを用いる場合には、半球ごとに塗り分ける色を、住空間を構成する素材１３に合わせた色と、黒色にする方法を挙げることができる。
【００３２】
なお、本実施形態においては、上記のツイストボール方式の電子ペーパーパネルに限定されず、電源ＯＦＦ時の画面の色彩を、住空間を構成する素材１３の表面の色彩と視覚的に同等に合わせることができる表示パネルであれば、画面部１１として好適に用いることができる。
【００３３】
一方、画面部１１に、液晶ディスプレイパネルや有機ＥＬディスプレイパネルを用いる場合には、通常、電源ＯＦＦの状態では画面の色が黒系の色になる。
それゆえ、このような表示パネルを有する情報表示体１０を、住空間に自然に溶け込ませるためには、情報を表示しない時にも電力を供給し、情報を表示しない状態の画面部１１の画面の色彩が、住空間を構成する素材１３の表面の色彩と視覚的に同等になるように画像表示することが好ましい。
例えば、住空間を構成する素材１３の表面が白色の場合には、画面部１１の画面も白色に表示して、双方が視覚的に同等になるようにする。
【００３４】
ここで、本実施形態において、上記の各色彩が「視覚的に同等」とは、画面部１１の画面の色彩と、住空間を構成する素材１３の表面の色彩が、同一の場合のみならず、例え、画面部１１の画面の色彩が住空間を構成する素材１３の表面の色彩と異なる場合であっても、特別な注意や意識を払わなければ見分けがつかないほどに、画面部１１の画面の色彩が、住空間を構成する素材１３の表面の色彩と共に、住空間に自然に溶け込んでいる場合も含む概念である。
【００３５】
本実施形態においては、画面部１１の画面上に、テクスチャー模様が形成された光透過性模様層１２を備えており、観察者の視覚は、主にこのテクスチャー模様に向けられ、下地の色彩に対する識別力は緩慢になりやすい。
それゆえ、本発明においては、画面部１１の画面の色彩が、周囲の住空間を構成する素材１３の表面の色彩と厳密には異なる場合であっても、概ね同じ色彩であれば、観察者はその違いに気付きにくいことになる。
【００３６】
なお、煩雑となるのを避けるため、図１において図示は省略しているが、画面部１１に情報を表示させるためには、通常、画面部１１が電源部や制御部と接続されていることも必要である。
本実施形態においては、この電源部や制御部も、画面部１１と共に住空間を構成する素材１３に埋め込むことができる。また、画面部１１とは別に設けて、電力供給や信号送受信の配線を、住空間を構成する素材１３に埋め込むようにしても良い。さらに、無線通信により、制御部と信号を送受信する構成としてもよい。この制御部により、画面部１１の画面に表示する情報を自在に制御することができる。
【００３７】
また、図１においては、画面部１１の画面が平面状である形態を例示しているが、本実施形態においては、これに限らず、画面部１１の画面は、住空間に合わせて曲面を有していても良い。また、同様に、画面部１１の画面の外縁２１の形態も矩形に限らず、住空間に合わせて各種の形態として良い。
【００３８】
また、本実施形態においては、画面部１１の画面の外縁部において、画面部１１の画面高さ位置と、画面部１１の周囲の住空間を構成する素材１３の表面高さ位置が、視覚的に同等であることが好ましい。
画面部１１の画面の外縁部を、より目立たなくすることができ、情報表示体１０を、より住空間に自然に溶け込ませることが可能になるからである。
【００３９】
図３は、図１に示す情報表示体１０から光透過性模様層１２を除去した状態を説明する図であり、（ａ）は概略平面図、（ｂ）は（ａ）のＢ−Ｂ線断面図である。
【００４０】
図３に示すように、光透過性模様層１２を除去した状態においては、画面部１１の画面１１Ｆ及び住空間を構成する素材１３の表面１３Ｆが露出する状態となり、画面１１Ｆの外縁２１も露になる。図３において、この外縁２１は、画面１１Ｆと、住空間を構成する素材１３の表面１３Ｆとの、境界に相当する。
【００４１】
ここで、画面部１１の画面１１Ｆの高さ位置と、住空間を構成する素材１３の表面１３Ｆの高さ位置が異なっている場合、すなわち、外縁２１を境にして段差を生じている場合、その段差が光透過性模様層１２を介しても視覚的に認知できてしまう程の段差である場合には、外縁２１が目立つことにより画面部１１の画面の存在が認識されてしまい、住空間を構成する素材との一体感が低下してしまう。
それゆえ、画面部１１の画面１１Ｆの外縁部において、画面部１１の画面１１Ｆの高さ位置と、画面部１１の周囲の住空間を構成する素材１３の表面１３Ｆ高さ位置が、視覚的に同等であることが好ましい。
【００４２】
ここで、本実施形態において、上記の各高さ位置が「視覚的に同等」とは、画面部１１の画面高さ位置と、住空間を構成する素材１３の表面高さ位置が、同一の場合のみならず、例え段差を生じている場合であっても、特別な注意や意識を払わなければ、その段差の見分けがつかないほどに、住空間に自然に溶け込んでいる場合も含む概念である。
【００４３】
ここで、本実施形態においては、図１に示すように、画面部１１の画面上および住空間を構成する素材１３の表面上にテクスチャー模様が形成された光透過性模様層１２を備えた形態とすることができるため、観察者の視覚は、主にこのテクスチャー模様に向けられ、下地の段差に対する識別力は緩慢になりやすい。
【００４４】
さらに、光透過性模様層１２によって下地の段差を吸収させ、光透過性模様層１２の表面１２Ｆにおいては、高さの違いを生じさせないようにすることもできる。
【００４５】
それゆえ、本実施形態においては、画面部１１の画面の外縁部において、画面部１１の画面高さ位置と、画面部１１の周囲の住空間を構成する素材１３の表面高さ位置が、厳密には異なる場合であっても、概ね同じ高さであれば、観察者はその違いに気付きにくいことになる。
【００４６】
（住空間を構成する素材）
本実施形態において、住空間を構成する素材１３には、住空間を構成するものであって、上記の画面部１１を備えることができるものであれば用いることができ、例えば、壁、扉、天井、床、柱等を構成する各種建材や、テーブル、チェスト、クローゼット等の家具を構成する素材を挙げることができる。
【００４７】
ここで、住空間を構成する素材１３の表面は、素材自体の表面を露出させたものであっても良いが、塗装を施すことや壁紙を設けることによって、人工的に色彩が与えられたものであることが、より好ましい。
人工的に作られた色彩であれば、上記の画面部１１の画面の色彩として再現させることも、より容易になり、画面部１１の画面の色彩と住空間を構成する素材１３の表面の色彩を、より視覚的に同等なものとし易く、情報表示体１０を、より住空間に自然に溶け込ませることが可能になるからである。
【００４８】
（光透過性模様層）
本実施形態において、光透過性模様層１２を構成する材料には、テクスチャー模様を形成することができ、かつ、光透過性模様層１２を透して画面部１１の画面に表示される情報を視認できるものであれば用いることができ、例えば、透明又は半透明の各種の樹脂フィルム、紙、布、ガラス等、若しくは、シリコンや金属を含む透明又は半透明の薄膜等を挙げることができる。
中でも、樹脂フィルムは、光透過性が高く、安価で、加工性にも優れており、大面積化にも容易に対応できるため、好ましい。
【００４９】
樹脂フィルムとしては、ポリビニルフルオライド（ＰＶＦ）フィルム、エチレン−テトラフルオロエチレン共重合樹脂（ＥＴＦＥ樹脂）フィルムなどのフッ素樹脂フィルム、ポリカーボネートフィルム、ポリエーテルスルホンフィルム、ポリサルホンフィルム、ポリアリレートフィルム、ポリアクリロニトリルフィルム、アクリル樹脂フィルム、セルロースアセテートフィルム、ガラス繊維強化ポリエステルフィルム、ガラス繊維強化アクリル樹脂フィルム、ガラス繊維強化ポリカーボネートフィルム、その他、ポリエチレンテレフタレートフィルム、ポリプロピレンフィルムなどを使用することができる。
【００５０】
本実施形態において、光透過性模様層１２は単層構造であっても良く、また、２層以上の多層構造であってもよい。
例えば、光透過性模様層１２は、上記の樹脂フィルム等の中にテクスチャー模様が設けられている構造であってもよく、また、上記の樹脂フィルム等の上にテクスチャー模様層が形成されている構造であってもよい。
さらに、光透過性模様層１２は、上記のテクスチャー模様層を保護するための保護層や、画面部１１の画面や住空間を構成する素材１３の表面に貼り付けるための粘着層などを有する構造であっても良い。
【００５１】
（テクスチャー模様）
本実施形態において、光透過性模様層１２にはテクスチャー模様が形成されている。本実施形態において「テクスチャー（ｔｅｘｔｕｒｅ）模様」とは、住空間を構成する素材等の表面に設けられ、その素材等の質感を高める作用効果を有する模様であり、壁の表面を装飾する壁紙用の模様のみならず、扉、天井、柱、床等を構成する各種建材や、テーブル、チェスト、クローゼット等の家具を構成する素材の表面を装飾する模様を含むものである。
【００５２】
例えば、光透過性模様層１２に形成されるテクスチャー模様としては、石目模様、砂目模様、木目模様、タイル貼模様、煉瓦積模様、布目模様、皮絞模様、抽象模様、幾何模様等を挙げることができる。
【００５３】
本実施形態において、光透過性模様層１２にテクスチャー模様を形成する方法には、従来の壁紙に木目模様等を印刷する方法等を利用することができる。
例えば、公知の着色剤（染料又は顔料）を結着材樹脂とともに溶剤（又は分散媒）中に溶解（又は分散）させて得られる着色インキ、コーティング剤等を用いた印刷法などにより、所望のテクスチャー模様を、光透過性模様層１２を構成する材料の上に形成すればよい。
【００５４】
ただし、光透過性模様層１２を構成する材料は、従来の壁紙とは異なり光透過性を有するものであり、テクスチャー模様を形成した後も、光透過性模様層１２を透して画面部１１の画面に表示される情報を視認できることが必要である。
それゆえ、特に、光透過性模様層１２全面に着色を施すような場合には、この着色を施した後の光透過性模様層１２を透して、画面部１１の画面に表示される情報を視認できるように、着色インキの材料選択や濃度調整をすることが好ましい。
【００５５】
上記の着色剤としては、例えば、カーボンブラック、チタン白、亜鉛華、弁柄、紺青、カドミウムレッド等の無機顔料；アゾ顔料、レーキ顔料、アントラキノン顔料、キナクリドン顔料、フタロシアニン顔料、イソインドリノン顔料、ジオキサジン顔料等の有機顔料；アルミニウム粉、ブロンズ粉等の金属粉顔料；酸化チタン被覆雲母、酸化塩化ビスマス等の真珠光沢顔料；蛍光顔料；夜光顔料等を挙げることができる。
これらの着色剤は、単独又は２種以上を混合して使用できる。また、これらの着色剤には、シリカ等のフィラー、有機ビーズ等の体質顔料、中和剤、界面活性剤等をさらに配合してもよい。
【００５６】
上記の結着剤樹脂としては、例えば、アクリル系樹脂、スチレン系樹脂、ポリエステル系樹脂、ウレタン系樹脂、塩素化ポリオレフィン系樹脂、塩化ビニル−酢酸ビニル共重合体系樹脂、ポリビニルブチラール樹脂、アルキド系樹脂、石油系樹脂、ケトン樹脂、エポキシ系樹脂、メラミン系樹脂、フッ素系樹脂、シリコーン系樹脂、繊維素誘導体、ゴム系樹脂等を挙げることができる。これらの樹脂は、単独又は２種以上を混合して使用できる。
【００５７】
上記の溶剤（又は分散媒）としては、例えば、ヘキサン、ヘプタン、オクタン、トルエン、キシレン、エチルベンゼン、シクロヘキサン、メチルシクロヘキサン等の石油系有機溶剤；酢酸エチル、酢酸ブチル、酢酸−２−メトキシエチル、酢酸−２−エトキシエチル等のエステル系有機溶剤；メチルアルコール、エチルアルコール、ノルマルプロピルアルコール、イソプロピルアルコール、イソブチルアルコール、エチレングリコール、プロピレングリコール等のアルコール系有機溶剤；アセトン、メチルエチルケトン、メチルイソブチルケトン、シクロヘキサノン等のケトン系有機溶剤；ジエチルエーテル、ジオキサン、テトラヒドロフラン等のエーテル系有機溶剤、；ジクロロメタン、四塩化炭素、トリクロロエチレン、テトラクロロエチレン等の塩素系有機溶剤；水等の無機溶剤等を挙げることができる。これらの溶剤（又は分散媒）は、単独又は２種以上を混合して使用できる。
【００５８】
テクスチャー模様の形成に用いる印刷法としては、例えば、グラビア印刷法、オフセット印刷法、スクリーン印刷法、フレキソ印刷法、静電印刷法、インクジェット印刷法等を挙げることができる。
その他、手描き法、墨流し法、写真法、転写法、レーザービーム描画法、電子ビーム描画法、金属等の部分蒸着法、エッチング法等を用いたり、他の形成方法と組み合わせて用いたりしてもよい。
【００５９】
＜第２の実施形態＞
図４は、本発明に係る情報表示体の第２の実施形態の一例を示す概略断面図である。
本発明において、情報表示体の表面側には、エンボス加工等、質感を高めるための各種の表面加工が施されていても良い。
【００６０】
例えば、図４（ａ）に示す情報表示体３０ａにおいては、画面部１１が住空間を構成する素材１３に埋め込むように備えられており、画面部１１の画面上および住空間を構成する素材１３の表面上に、光透過性模様層１２が備えられている。
そして、光透過性模様層１２の表面には、エンボス加工等の表面加工が施され、質感向上のための凹凸が形成されている。
【００６１】
上記のように、情報表示体３０ａにおいては、光透過性模様層１２の表面に質感向上のための凹凸が形成されているため、従来のエンボス加工等の表面加工が施されている壁紙と同様に、質感を高める効果を奏し、住空間の美観をより高めつつ、住空間に自然に溶け込ませることが可能になる。
【００６２】
本実施形態において、上記の凹凸形成は、光透過性模様層１２を構成する樹脂フィルム等の表面に直接加工を施すものであっても良く、また、光透過性模様層１２が、表面に凹凸が形成された層を上記の樹脂フィルム等の上に有する構造であっても良い。
【００６３】
また、本実施形態においては、光透過性模様層１２とは別に、表面加工した樹脂フィルム等を製造し、光透過性模様層１２の上に、この表面加工した樹脂フィルム等を貼り付けることで、質感を高める効果を奏し、住空間の美観をより高めつつ、住空間に自然に溶け込ませることが可能な情報表示体としても良い。
【００６４】
例えば、図４（ｂ）に示す情報表示体３０ｂにおいては、画面部１１が住空間を構成する素材１３に埋め込むように備えられており、画面部１１の画面上および住空間を構成する素材１３の表面上に、光透過性模様層１２が備えられている。
そして、光透過性模様層１２の上には、その表面３１Ｆに質感向上のための凹凸が形成された光透過性凹凸層３１が備えられている。
【００６５】
なお、煩雑となるのを避けるため、図示はしていないが、光透過性模様層１２と光透過性凹凸層３１の間には、画面部１１の画面に表示される情報の視認を阻害しない範囲において、粘着層等の各種中間層を設けることができる。
【００６６】
光透過性凹凸層３１を構成する材料としては、光透過性模様層１２及び光透過性凹凸層３１を透して画面部１１の画面に表示される情報を視認できるものであれば用いることができ、例えば、透明又は半透明の各種の樹脂フィルム、紙、布、ガラス等を挙げることができる。中でも、樹脂フィルムは、光透過性が高く、安価で、加工性にも優れており、大面積化にも容易に対応できるため、好ましい。
本実施形態において、光透過性凹凸層３１は単層構造であっても良く、また、２層以上の多層構造であってもよい。
【００６７】
上記のような、質感向上のための凹凸を形成する方法には、従来の壁紙に凹凸を形成する方法等を利用することができる。
例えば、光透過性模様層１２又は光透過性凹凸層３１を構成する樹脂フィルムの製膜時に、所望の凹凸とは鏡像関係にある凹凸を形成した金属ロール上に熔融樹脂を押出して冷却することにより、上記樹脂フィルムの表面に所望の凹凸を形成する方法や、光透過性模様層１２又は光透過性凹凸層３１を構成する樹脂フィルムを一旦、表面平滑に製膜した後、その表面側にエンボス加工、サンドブラスト加工、ケミカルエッチング加工等により、所望の凹凸を形成する方法を用いることができる。
【００６８】
以上、本発明に係る情報表示体についてそれぞれの実施形態を説明したが、本発明は、上記実施形態に限定されるものではない。上記実施形態は例示であり、本発明の特許請求の範囲に記載された技術的思想と、実質的に同一の構成を有し、同様な作用効果を奏するものは、いかなる場合であっても本発明の技術的範囲に包含される。
【符号の説明】
【００６９】
１０、３０ａ、３０ｂ  情報表示体
１１  画面部
１２  光透過性模様層
１３  素材
２１  外縁
３１  光透過性凹凸層
【図３】
2015161835.tif 000003
【図４】
2015161835.tif 000004
【図１】
2015161835.tif 000005
【図２】
2015161835.tif 000006